(57)【要約】【課題】  光ディスクに記録する可視画像の画像品質の向上を図ることができる記録再生装置を提供する。【解決手段】  光ディスク５１の情報記録面に対して情報を記録又は再生する光ピックアップ４と、光ディスク５１の情報記録面に情報を記録又は再生する際に前記情報記憶媒体を回転駆動するスピンドルモータ３と、光ディスク５１の画像記録面側に設けられ、画像記録面に可視画像を記録するサーマルヘッド５とを備えた記録再生装置であって、光ディスク５１の画像記録面に可視画像を記録する際に光ディスク５１を回転駆動する印刷用モータ６と、光ディスク５１の情報記録面から情報の再生を行い再生した信号に基づいて印刷用モータ６の回転速度を制御するシステムコントローラ２１とを備えるようにした。【選択図】      図２
2006120249.tif 000002
【特許請求の範囲】
【請求項１】
情報記録媒体の情報記録面に対して情報を記録又は再生する光ピックアップと、情報記録媒体の情報記録面に情報を記録又は再生する際に前記情報記憶媒体を回転駆動する第１の回転駆動手段と、前記情報記録面の反対面である画像記録面側に設けられ、前記画像記録面に可視画像を記録する可視画像記録ヘッドと、を備えた記録再生装置であって、前記情報記録媒体の画像記録面に可視画像を記録する際に前記情報記録媒体を回転駆動する第２の回転駆動手段と、前記情報記録面から情報の再生を行い、再生した信号に基づいて前記第２の回転駆動手段の回転速度を制御する制御手段と、を備えていることを特徴とする記録再生装置。
【請求項２】
情報記録媒体の情報記録面に対して情報を記録又は再生する光ピックアップと、情報記録媒体の情報記録面に情報を記録又は再生する際に前記情報記憶媒体を回転駆動する回転駆動手段と、前記情報記録面の反対面である画像記録面側に設けられ、前記画像記録面に可視画像を記録する可視画像記録ヘッドと、を備えた記録再生装置であって、前記情報記録媒体の画像記録面に可視画像を記録する際に前記情報記録媒体を回転駆動する第２の回転駆動手段と、前記情報記録面から情報の再生を行い、再生した信号に基づいて前記画像記録面に記録する画像データの出力タイミングを制御する制御手段を、備えていることを特徴とする記録再生装置。
【請求項３】
請求項１または２に記載の記録再生装置において、前記情報記録面から情報を再生して前記画像記録面に可視画像を記録する際に利用する信号がビットクロック信号であることを特徴とする記録再生装置。
【請求項４】
請求項１または２に記載の記録再生装置において、前記情報記録面から情報を再生して前記画像記録面に可視画像を記録する際に利用する信号が再生変調信号であることを特徴とする記録再生装置。
【請求項５】
請求項１または２に記載の記録再生装置において、前記情報記録面から情報を再生して前記画像記録面に可視画像を記録する際に利用する信号がウォブルの同期クロック信号であることを特徴とする記録再生装置。
【請求項６】
請求項１または２に記載の記録再生装置において、前記光ピックアップにより読み出し、二値化した信号を逓倍するＰＬＬ回路を備え、前記情報記録面から情報を再生して前記画像記録面に可視画像を記録する際に利用する信号が逓倍したビットクロック信号であることを特徴とする記録再生装置。
【請求項７】
請求項１または２に記載の記録再生装置において、前記情報記録面から情報を再生して前記画像記録面に可視画像を記録する際に利用する信号が特定領域の専用信号であることを特徴とする記録再生装置。
【請求項８】
請求項１または２に記載の記録再生装置において、前記光ピックアップを所定位置へアクセスするアクセス手段を備え、前記可視画像の記録開始前に前記情報記録媒体のアドレス情報に従って前記光ピックアップを所定位置に移動させることを特徴とする記録再生装置。
【請求項９】
請求項１または２に記載の記録再生装置において、前記情報記録媒体の周回クロックを計測するクロック計測手段を備え、前記制御手段は、前記可視画像の記録開始前に前記クロック計測手段により計測した前記情報記録媒体の１回転のクロック計測結果に基づいて前記第２の回転駆動手段の回転速度制御を行うことを特徴とする記録再生装置。
【請求項１０】
情報記録媒体の情報の記録または再生を行う情報記録面の反対面である画像記録面に可視画像を記録する画像記録方法であって、前記画像記録面に可視画像を記録する際に、前記情報記録面から情報の再生を行い、再生した信号に基づいて前記情報記録媒体の回転速度を制御することを特徴とする画像記録方法。
【請求項１１】
情報記録媒体の情報の記録または再生を行う情報記録面の反対面である画像記録面に可視画像を記録する画像記録方法であって、前記画像記録面に可視画像を記録する際に、前記情報記録面から情報の再生を行い、再生した信号に基づいて画像データの出力タイミングを制御することを特徴とする画像記録方法。
【発明の詳細な説明】
【技術分野】
【０００１】
本発明はディスクのレーベル面に熱により画像を記録する記録再生装置及び画像記録方法に関する。
【背景技術】
【０００２】
近年、ディスク状のメディアに光学的マークや磁気によるデジタル情報を記録した各種のディスク状メディアが普及しており、これらは一般的に、光ディスクと総称されている。このような光ディスクの種類としては、音楽用ＣＤやＣＤ−ＲＯＭ、あるいはＤＶＤのような情報が予め記録されている物の他、一度だけ書き込みが可能な追記型光ディスク、何度でも書き換えが可能な書換型光ディスクがあり、これらは急速に普及している。
一方、予め情報が記録されている光ディスクには、その記録内容を表示したりデザイン性を高めたりする目的で、一方の面にラベル（「レーベル」とも呼ばれている）が貼付されているのが一般的である。例えば、音楽ＣＤには一方の面（ラベル面）にタイトルや曲名が所定の絵柄と共に印刷され、またＣＤ−ＲＯＭにはその記録内容が所定の絵柄と共に印刷されている。これに対して、追記型光ディスクや書換型光ディスクでは、ユーザ自らが所望の情報を書き込むという使い方がなされるので、予め所定事項を印刷したラベルを付加するわけにはいかない。このため、このような種類の光ディスクではケースに記録内容を書き込めるようにしてあるのが一般的である。
しかしながら、追記型や書換型の光ディスクにも、予め情報が印刷されている音楽ＣＤ等に付加されているようなラベルを用意しておき、このラベルにユーザが所望事項を書き込むことができれば便利である。このようなことから追記型光ディスクに付加されたラベルに所望事項を印刷できるようにした印刷装置が商品化されている。
例えば、特許文献１には、光ディスクに対して情報の記録・再生を行う光ディスク装置に印刷機構を内蔵させた技術が開示されている。
また特許文献２にはレーザ光を用いて、また特許文献３にはサーマルヘッドを用いて光ディスクへ画像を記録する技術が開示されている。サーマルヘッドを用いて感熱記録媒体に文字や画像を出力する出力装置は、電子計算機のアウトプット、ファクシミリ、自動券売機、レジスタ等に広く応用されている。そのような感熱記録装置は、特許文献４に示されるように発色が可逆的で、発色と消色を繰り返し行える材料も多数あり、電子式定期券、ポイントカード、プリペイドカード等に利用されている。
【特許文献１】特開平０５−２３８００５号公報
【特許文献２】特開平１１−１３４６４８号公報
【特許文献３】特開２０００−１１８０１６公報
【特許文献４】特開平０５−２７０１４４号公報
【発明の開示】
【発明が解決しようとする課題】
【０００３】
しかしながら、ディスクを回転させ可視画像を記録する場合、通常、極座標により画像が記録されるが、直交座標の画像データをそのまま記録すると、文字は上下で幅の異なる歪んだ形になり見栄えが悪くなる。このため、直交座標のデータを極座標に変換して記録する方法が知られているが、その場合は記録の始点と終点をぴったり一致させないと画像に隙間または重複が発生して画像品質を著しくて低下させるという問題があった。
特に、始点と終点を横断しないように画像を配置できる場合はよいが、写真のように継ぎ目を置ける場所が無い場合には問題となる。
そこで、本発明は上記したような点を鑑みてなされたものであり、ディスクに記録する可視画像の画像品質の向上を図ることができる記録再生装置及び画像記録方法を提供することを目的とする。
【課題を解決するための手段】
【０００４】
上記目的を達成するため、請求項１に記載の発明は、情報記録媒体の情報記録面に対して情報を記録又は再生する光ピックアップと、情報記録媒体の情報記録面に情報を記録又は再生する際に前記情報記憶媒体を回転駆動する第１の回転駆動手段と、前記情報記録面の反対面である画像記録面側に設けられ、前記画像記録面に可視画像を記録する可視画像記録ヘッドと、を備えた記録再生装置であって、前記情報記録媒体の画像記録面に可視画像を記録する際に前記情報記録媒体を回転駆動する第２の回転駆動手段と、前記情報記録面から情報の再生を行い再生した信号に基づいて前記第２の回転駆動手段の回転速度を制御する制御手段と、を備えていることを特徴とする。
また請求項２に記載の発明は、情報記録媒体の情報記録面に対して情報を記録又は再生する光ピックアップと、情報記録媒体の情報記録面に情報を記録又は再生する際に前記情報記憶媒体を回転駆動する回転駆動手段と、前記情報記録面の反対面である画像記録面側に設けられ、前記画像記録面に可視画像を記録する可視画像記録ヘッドと、を備えた記録再生装置であって、前記情報記録媒体の画像記録面に可視画像を記録する際に前記情報記録媒体を回転駆動する第２の回転駆動手段と、前記情報記録面から情報の再生を行い、再生した信号に基づいて前記画像記録面に記録する画像データの出力タイミングを制御する制御手段を、備えていることを特徴とする。
また請求項３に記載の発明は、請求項１または２に記載の記録再生装置において、前記情報記録面から情報を再生して前記画像記録面に可視画像を記録する際に利用する信号がビットクロック信号であることを特徴とする。
また請求項４に記載の発明は、請求項１または２に記載の記録再生装置において、前記情報記録面から情報を再生して前記画像記録面に可視画像を記録する際に利用する信号が再生変調信号であることを特徴とする。
【０００５】
また請求項５に記載の発明は、請求項１または２に記載の記録再生装置において、前記情報記録面から情報を再生して前記画像記録面に可視画像を記録する際に利用する信号がウォブルの同期クロック信号であることを特徴とする。
また請求項６に記載の発明は、請求項１または２に記載の記録再生装置において、前記光ピックアップにより読み出し、二値化した信号を逓倍するＰＬＬ回路を備え、前記情報記録面から情報を再生して前記画像記録面に可視画像を記録する際に利用する信号が逓倍したビットクロック信号であることを特徴とする。
また請求項７に記載の発明は、請求項１または２に記載の記録再生装置において、前記情報記録面から情報を再生して前記画像記録面に可視画像を記録する際に利用する信号が特定領域の専用信号であることを特徴とする。
また請求項８に記載の発明は、請求項１または２に記載の記録再生装置において、前記光ピックアップを所定位置へアクセスするアクセス手段を備え、前記可視画像の記録開始前に前記情報記録媒体のアドレス情報に従って前記光ピックアップを所定位置に移動させることを特徴とする。
また請求項９に記載の発明は、請求項１または２に記載の記録再生装置において、前記情報記録媒体の周回クロックを計測するクロック計測手段を備え、前記制御手段は、前記可視画像の記録開始前に前記クロック計測手段により計測した前記情報記録媒体の１回転のクロック計測結果に基づいて前記第２の回転駆動手段の回転速度制御を行うことを特徴とする。
また請求項１０に記載の発明は、情報記録媒体の情報の記録または再生を行う情報記録面の反対面である画像記録面に可視画像を記録する画像記録方法であって、前記画像記録面に可視画像を記録する際に、前記情報記録面から情報の再生を行い、再生した信号に基づいて前記情報記録媒体の回転速度を制御することを特徴とする。
また請求項１１に記載の発明は、情報記録媒体の情報の記録または再生を行う情報記録面の反対面である画像記録面に可視画像を記録する画像記録方法であって、前記画像記録面に可視画像を記録する際に、前記情報記録面から情報の再生を行い、再生した信号に基づいて画像データの出力タイミングを制御することを特徴とする。
【発明の効果】
【０００６】
請求項１、請求項１０に記載の発明によれば、情報記録媒体の情報記録面から情報の再生を行い再生した信号に基づいて、画像記録面に可視画像を記録する際に情報記録媒体を回転駆動する第２の回転駆動手段の回転速度を制御しているので、情報記録媒体を一定速度により回転させることができ、情報記録媒体に高品質な可視画像を形成することができるようになる。
請求項２、請求項１１に記載の発明によれば、情報記録媒体の情報記録面から情報の再生を行い再生した信号に基づいて、画像データの出力タイミングを制御することで、ディスクの回転変動に合わせて画像データを出力することができるので、情報記録媒体に高品質な可視画像を形成することができるようになる。
請求項３に記載の発明によれば、情報記録面から再生して画像記録面に可視画像を記録する際に利用する信号をビットクロック信号とすれば、速度信号の分解能が高く精度の高い制御を行うことができるようになる。
請求項４に記載の発明によれば、情報記録面から再生して画像記録面に可視画像を記録する際に利用する信号を再生変調信号とすれば、ＰＬＬ回路が不要になるので回路の簡素化を図ることができる。
請求項５に記載の発明によれば、情報記録面から再生して画像記録面に可視画像を記録する際に利用する信号をウォブルの同期クロック信号とすれば、情報記録媒体がブランクディスクでも制御することが可能になる。
請求項６に記載の発明によれば、情報記録面から再生して画像記録面に可視画像を記録する際に利用する信号を逓倍したビットクロック信号とすれば、ＰＬＬ回路の構成を簡素化することができる。
請求項７に記載の発明によれば、情報記録面から再生して画像記録面に可視画像を記録する際に利用する信号を特定領域の専用信号とすれば、制御精度を維持しながら回路の簡素化を図ることができる。
請求項８に記載の発明によれば、可視画像の記録開始前に情報記録媒体のアドレス情報に従って光ピックアップを所定位置に移動させることで所望の位置の信号を取得することができる。
請求項９に記載の発明によれば、可視画像の記録開始前にクロック計測手段により計測した情報記録媒体の１回転のクロック計測結果に基づいて第２の回転駆動手段の回転速度制御を行うことにより、１回転の精度を高めることができるようになる。
【発明を実施するための最良の形態】
【０００７】
以下、本発明に係る記録再生装置の実施の形態について説明するが、その前に本実施の形態の光ディスク装置によりラベル印刷が可能な情報記録媒体の構造を、図１０〜図１２により説明しておく。
図１０は本実施の形態の記録再生装置によりラベル印刷を行うことができる情報記録媒体の分解斜視図、図１１は情報記録媒体の平面図である。
これら図１０及び図１１に示す光ディスク（情報記録媒体）１０１の一方の面にはフィルム状のラベル５２が貼られている。このラベル５２は、熱可逆性記録媒体からなる、いわゆるＴＣフィルムである。ＴＣフィルムは加えられた熱によってその透明度や色調が可逆的に変化し、常温で透明度又は色調が２種類以上の形態で保持される熱可逆性材料により構成されている。
図１２はラベルに使用するＴＣフィルムの温度変化と透明度の関係を示した図である。
この図１２に示すように、ＴＣフィルムは、温度Ｔ２から温度Ｔ３の間の温度に加熱すると透明になり、その後は温度Ｔ０以下の常温に戻っても透明状態が維持される。また温度Ｔ４以上に加熱すると半透明状態になり、その後は温度Ｔ０以下の常温に戻ると白濁する。このような現象が生ずるのは、ラベル５２を構成する樹脂母材中に分散した有機低分子物質の粒子と樹脂母材とが隙間なく密着し、且つ、有機低分子物質の粒子部内にも空隙がない状態において、片側から入射した光は散乱することなく反対側に透過するためにラベルが透明に見えるためである。これに対して、有機低分子物質の粒子の微細な結晶が集合して多結晶で構成されると、結晶の界面もしくは粒子と樹脂母材との界面に隙間が生じ、片側から入射した光が空隙と結晶、結晶と樹脂の界面で屈折・反射して散乱するためにラベルが白く見えるためである。もっともラベル５２としては、透明状態と白濁状態との２態様に変化して、その状態が保持されるものに限らず、色調が２態様以上に変化してその状態が保持される各種の熱可逆性記録媒体を選択的に用いることが可能である。また熱可逆特性を持たず非可逆性記録媒体も利用可能である。
【０００８】
以下、本発明に係る記録再生装置の実施の形態として光ディスク装置を例に挙げて説明する。
図１は本実施の形態としての光ディスク装置の概略図である。
この図１に示す光ディスク装置は、光ディスク５１を装着するためのターンテーブル２と、このターンテーブル２に装着された光ディスク５１を回転駆動するスピンドルモータ（第１の回転駆動手段、回転駆動手段）３を備える。またターンテーブル２に装着された光ディスク５１にレーザ光を照射して、光ディスク５１に対して情報を記録したり、或いは光ディスク５１に記録された情報を再生したりする光ピックアップ４が設けられている。光ピックアップ４は光ディスク５１の半径方向に移動自在に支持する移動機構に支持されている。なお、図示していないが光ピックアップ４には、レーザダイオードと、レーザダイオードから照射されたレーザ光を、対物レンズを介して光ディスク５１の記録面にスポット照射させるための照射光学系と、光ディスク５１の反射光からリファレンス信号、トラッキング信号及びフォーカシング信号等を得るための受光部に対して反射光を導く戻り光学系とが搭載されている。
また本実施の形態の光ディスク装置は、光ディスク５１を介して光ピックアップ４の反対面側にラベル５２の印刷及び消去を行うサーマルヘッド（可視画像記録ヘッド）５を備える。サーマルヘッド５によるラベル５２の印刷及び消去は、サーマルヘッド５をラベル５２に接触させ光ディスク５１を回転させることで行われる。この時、光ディスク５１は、光ディスク５１に光ピックアップ４から情報を記録する場合の回転速度（例えば２００〜５００ｒｐｍ）より非常に遅い回転速度（例えば３．８ｒｐｍ）で回転させる必要があるので、光ディスク５１はスピンドルモータ３ではなく印刷用モータ（第２の回転駆動手段）６により回転駆動される。印刷用モータ６は減速機構７を通しゴムローラ８を回転させる。ゴムローラ８は光ディスク５１の端面に押圧されて光ディスク５１を回転させるようにしている。
【０００９】
図２は、本実施の形態の光ディスク装置の構成を示したブロック図である。なお、図１と同一部位には同一番号を付して詳細な説明は省略する。また図中の矢印は代表的な信号やデータの流れを示すもので各ブロックの接続関係を全て表すものではない。
この図２において、ターンテーブル２に装着された光ディスク５１は、スピンドルモータ３により回転駆動される。スピンドルモータ３は、例えばモータドライバやサーボ手段により構成されるスピンドル制御部１１により線速度が一定または角速度が一定になるように制御される。この線速度又は角速度は段階的に変更が可能である。
光ピックアップ４は、図示しない半導体レーザ、光学系、フォーカスアクチュエータ、トラックアクチュエータ、及び受光素子、ポジションセンサを内蔵したものでレーザ光を光ディスク５１に照射して、光ディスク５１にデータを記録したり、光ディスク５１からデータを読み取ったりするためのユニットである。また光ピックアップ４には図示しないシークモータが設けられており、シークモータにより移動可能に構成されている。
また、これら光ピックアップ４のフォーカスアクチュエータ、トラックアクチュエータ、シークモータは、受光素子やポジションセンサから得られた信号に基づいて、モータドライバとサーボ処理によりレーザースポットが目的の場所に位置するよう制御される。
トラック・フォーカス制御部１２は光ピックアップ４のフォーカスアクチュエータ、トラックアクチュエータの制御を行う。
このような光ディスク装置は、読み出し動作時、光ピックアップ４により得られた再生信号がリードアンプ１３により増幅されて２値化された後、ＤＶＤデコーダ１４に入力され、ＤＶＤデコーダ１４においてデインターリーブとエラー訂正の処理が施される。このデータはメモリマネージャ１５により一旦バッファメモリ（バッファＲＡＭ）１６に蓄えられ、セクタデータとして揃ったところで、ホストインターフェース（ホストＩ／Ｆ）１７を通して図示しないホストコンピュータへ送られることになる。
【００１０】
一方、記録動作時、ホストＩ／Ｆ１７を通しホストコンピュータから送られてきたデータはメモリマネージャ１５により一旦バッファメモリ１６に蓄えられる。そして、バッファメモリ１６に或る程度データが蓄積されたところで記録を開始するが、その前にレーザースポットを書き込み開始地点に位置させなければならない。この地点はトラックの蛇行により予め光ディスク５１に刻まれているウォブル信号により求められる。ウォブル信号にはＡＤＩＰと呼ばれる情報が変調されており、その中には絶対番地情報もある。これらの情報はＡＤＩＰデコーダ１８から読み取ることができる。またＡＤＩＰデコーダ１８により生成される同期信号は、ＤＶＤエンコーダ１９に入力され、正確な位置でのデータの書き出しを可能にしている。
バッファメモリ１６のデータはＤＶＤエンコーダ１９でエラー訂正コードの付加やインターリーブが行われた後、ＥＦＭ変調が施されて出力される。この信号はＬＤ制御部２０に供給される。ＬＤ制御部２０は記録用ＥＦＭに従ってレーザ光線を記録（ライト）パワーで発光させたり、或いは適切な記録再生を行ったりできるように絶えず発光の状態を制御している。これにより光ディスク５１に情報が記録されることになる。
さらに本実施の形態においては、光リードアンプ１３により増幅されて２値化された信号をＰＬＬ回路２２により逓倍するようにしている。ＰＬＬ回路２２により逓倍された信号はビットクロックとして切替スイッチ２３を介してＦ／Ｖ変換回路２４に供給され、Ｆ／Ｖ回路２４よりＦ／Ｖ変換することで光ディスク５１の回転速度に応じた電圧を得るようにしている。このような光ディスクの回転速度に応じた電圧は、後述するように、光ディスクへ可視画像を記録する際に利用される。
また本実施の形態においては、光リードアンプ１３により増幅されて２値化された信号を、ＰＬＬ回路２２を通すことなく、切替スイッチ２３を介してＦ／Ｖ変換回路２４に供給され、Ｆ／Ｖ回路２４よりＦ／Ｖ変換することで光ディスク５１の回転速度に応じた電圧を得ることも可能とされる。さらに光ピックアップ４で検出したウォブル信号（再生変調信号）を、ＰＬＬ回路２２により逓倍して切替スイッチ２３を介してＦ／Ｖ変換回路２４に供給し、Ｆ／Ｖ回路２４よりＦ／Ｖ変換することで光ディスク５１の回転速度に応じた電圧を得ることもできるように構成されている。
【００１１】
次に、光ディスクに貼付されたラベルに可視画像を記録する場合の動作について説明する。
先においても述べたように、図示しないホストコンピュータから送られてきた画像データはホストＩ／Ｆ１７とメモリマネージャ１５を通りバッファメモリ１６に一旦蓄積される。この画像データは極座標系のデータであり、所定の角度でデータに従い、そのままサーマルヘッド５を駆動すればよいビットマップデータである。但し、キャラクタデータを受け取りサーマルヘッド５内に設けられているドライバＩＣによりデータパターンを生成したり、直交座標のデータを受け取りドライバＩＣにより極座標データに変換したりすることも可能である。
そして、本実施の形態の光ディスク装置は、ホストコンピュータからの画像データを受け取り終わるか、あるいは一定量の画像データを受け取ったところで記録を開始するが、画像データを受け取り終わっていなければ、記録中も画像データの受信を続けることになる。
システムコントローラ（制御手段）２１はモータドライバ２５を介して印刷用モータ６を起動すると共に、所定のタイミングで画像データをサーマルヘッド５に供給することになる。
【００１２】
図３にサーマルヘッドに設けられているドライバＩＣの構成例を示す。またそのタイミングチャートを図４に示す。
この図３に示すように、サーマルヘッド５には、複数の画素記録用発熱体３１−０，３１−１・・・３１−ｎが設けられている。これらの画素記録用発熱体３１−０，３１−１・・・３１−ｎを発熱させるか否かを決めるデータはＤＡＴＡ信号線でシリアルに送られてくる。ＤＡＴＡビットはシフトレジスタ３２に入力され、ＣＬＯＣＫ信号で順次シフトされる。１ラインのデータが転送されると、ＬＡＴＣＨ信号でシフトレジスタ３２のデータがレジスタ３３にラッチされる。この時点でシフトレジスタ３２には次のラインのデータ転送が可能になる。そしてＳＴＲＯＢＥ信号により、レジスタ３３にラッチされたデータが出力され、各トランジスタＴｒ０，Ｔｒ１，・・・ＴｒｎがデータＤ０，Ｄ１・・・Ｄｎによりオン／オフされることになる。トランジスタＴｒ０，Ｔｒ１，・・・ＴｒｎがＯＮになると画素記録用発熱体３１−０，３１−１・・・３１−ｎに電流が流れ発熱する。なお、この場合の温度制御はＰＷＭ制御により行われる。
画像の記録は、サーマルヘッド５を光ディスク５１の感熱フィルム（ＴＣフィルム）５２に押し当て光ディスク５１を回転させることにより行われる。この時、光ディスク５１の回転とデータの送出が同期し正確に１回転の記録を行わないと、図１１に示すように記録の始点Ｐｓと終点Ｐｅとの間に隙間が発生したり、または図示しないが重複が発生したりして可視画像の画像品質の劣化を招くことになる。
そこで、本実施の形態の光ディスク装置においては、光ディスクに可視画像を記録する際には光ディスクを一定の速度で正確に回すようにした。
ところが、光ディスク５１に貼付されたラベル５２に可視画像を記録する時のディスク回転数は、約３．８ｒｐｍ程度と非常にゆっくりした回転速度であるため、可視画像記録時に、光ディスク５１の情報記録再生用のスピンドルモータ３を利用して光ディスク５１を回転させることは困難である。
そこで、本実施の形態の光ディスク装置では、スピンドルモータ３とは別に印刷用モータ６を設け、この印刷用モータ６の回転を制御するのに光ディスク５１の情報記録面から光ピックアップ４により読み取った再生信号を利用することで、駆動系の遊びや滑りの影響を抑え、可視画像記録時において光ディスクを一定の速度で正確に回すようにした点に特徴がある。
【００１３】
図５は、上記した回転制御を実現するための印刷用モータの制御ブロック図である。
なお、ここでは感熱ラベルが貼付された例えばＤＶＤ＋Ｒなどの光ディスクを例に挙げて説明する。
この場合、光ディスクの情報記録面には光ピックアップ４からのレーザ光によりユーザデータの記録が可能であるため、本実施の形態の光ディスク装置では光ディスク５１の情報記録面に記録したユーザデータを光ピックアップ４により検出するようにしている。そして検出したＲＦ信号をリードアンプ１３により２値化した後、ＰＬＬ回路２２により逓倍して生成したビットクロックをＦ／Ｖ変換回路２４によりＦ／Ｖ変換して光ディスク５１の回転速度に応じた電圧を得るようにする。
この場合、ＰＬＬ回路２４として、光ディスクからユーザ情報の読み出し使用しているＰＬＬ回路を利用すると回路の簡素化を図ることができる。そのためには基本的にはＶＣＯの発振レンジを広くすればよいが、桁の異なる発振レンジを有するＶＣＯを構成するのは困難である。そこで、ＶＣＯの出力周波数を分周して入力信号にロックさせるようにするとビットクロックの逓倍信号を比較的簡単に生成することができ、これをディスクの速度信号として使用すると回路の簡素化を実現することができる。
また、本実施の形態の光ディスク装置においては、リードアンプ１３により２値化した信号をＰＬＬ回路２２で逓倍することなく、Ｆ／Ｖ変換回路２４によりＦ／Ｖ変換して光ディスク５１の回転速度に応じた電圧を得ることもできる。この場合、ＲＦ信号はＥＦＭ変調されている再生変調信号であるため周波数が変化するが、Ｆ／Ｖ変換の帯域を適切に設定すれば問題無く実現することができる。
但し、この場合は光ディスクにユーザデータが記録されている必要がありブランクディスクには対応できない。
そこで、本実施の形態の光ディスク装置は、図５に示すようにウォブル信号をリードアンプ１３により２値化した後、ＰＬＬ回路２２により逓倍して生成した同期クロック信号を、切替スイッチ２３を介してＦ／Ｖ変換回路２４に入力し、Ｆ／Ｖ変換回路２４によりＦ／Ｖ変換して光ディスク５１の回転速度に応じた電圧を得ることも可能である。
Ｆ／Ｖ変換回路２４で得られた光ディスク５１の回転速度に応じた速度電圧は、モータドライバ２５の比較器２７に供給され、比較器２７においてシステムコントローラ（ＣＰＵ）２１から出力される目標速度データをＤ／Ａ変換器２６によりＤ／Ａ変換した目標速度電圧と比較する。そしてその差分電圧がフィードバック制御フィルタ２８とアンプ２９を通り印刷用モータ６に供給する。これにより印刷用モータ６を駆動するようにしている。なお、本実施の形態において説明したユーザデータとはユーザ領域の情報のみならずユーザ領域以外の情報も含む。
【００１４】
このように本実施の形態の光ディスク装置においては、光ディスク５１の情報記録面に高密度で記録されている信号（ユーザデータも含む）を利用してロータリーエンコーダの代わりに利用すれば安価で非常に高解像な速度制御が可能になる。
この結果、従来のようにディスクを置く回転台に接続されたロータリーエンコーダによって回転角度を検出して回転モータの速度や記録媒体の回転角の制御する場合に必要になる高解像のロータリーエンコーダが不要になると共に、また解像度を上げるために増速機構なども設ける必要がないので、安価にかつ小型の光ディスクを実現することができる。
またステップモータ等を用いてオープンループ制御によりディスクを回転させる場合において発生する滑りによるディスクの角度誤差、速度誤差等も無視することができるという利点もある。
また本実施の形態の光ディスク装置においては、光ディスク５１から得られるクロック信号により印刷用モータ６の制御を行うことで、光ディスク５１に記録する可視画像の始点と終点を一致させるといった高品質な制御も可能となる。
さらに本実施の形態の光ディスク装置においては、光ディスク５１から読み取った再生変調信号をそのまま制御用の信号として使用するようにしている。このような再生変調信号（ＥＦＭ変調信号）は、信号周期に幅を持っているが、再生変調信号はモータ制御帯域、データ出力帯域に比べて高い周波数なので周期を平均値として扱うようにすれば、ＰＬＬ回路を設ける必要が無く、コストアップ無しに可視画像の画像品質の向上を図ることができる。
さらに本実施の形態の光ディスク装置は、光ディスク５１に情報記録時の回転制御やライトクロックの生成に利用されるウォブルのクロック信号を画像記録時の制御信号として利用すると、光ディスクにユーザデータが記録されていない所謂ブランクディスクを使用することができるようになる。
さらにまた、本実施の形態の光ディスク装置においては、クロック信号を逓倍することでＶＣＯの周波数レンジを抑制できるため、従来、画像記録時の回転数で再生された低い周波数の信号のクロック信号を生成するにはＰＬＬのＶＣＯの周波数レンジを非常に大きく取る必要が無く回路を簡素化することができる。
【００１５】
次に、本発明の第２の実施形態に係る光ディスク装置について説明する。
第２の実施形態としての光ディスク装置は、画素の印刷タイミングすなわち画像データの出力タイミングを回転変動に応じて制御することで高品質の可視画像を印刷するようにした点に特徴がある。
図６は画像データの出力タイミングの制御ブロック図である。
この場合、上記図５において、Ｆ／Ｖ変換回路２４に入力していた信号がシステムコントローラ２１内に設けたカウンタ４１に入力されており、光ディスク５１の回転に合わせてカウンタ４１をカウントアップするようにしている。カウンタ４１はディスク１周分の信号をカウントできることが望ましいが、オーバーフローをＣＰＵ４４でカウントしても良い。ＣＰＵ４４はモータドライバ２５（図２参照）を介して印刷用モータ６を駆動すると共に、サーマルヘッド５を光ディスク５１上に降ろしたら所定の位置または適当な位置から記録を開始する。光ディスク５１に対して可視画像の追記ではなく全面書き換えを行う場合は適当な位置で良い。画像の記録開始と同時にカウンタ４１をリセットし、最初の画像データを送出する。次の画像データを送出するカウンタ値を目標値にセットし、カウンタ４１がこの目標値に達するのを待つ。１周のカウンタ値がＸ、周方向１周の画素数がＹとしｎ番目の画像データを出力するための目標値４３はＸ÷Ｙ×ｎとなる。比較器（ＣＭＰ）４２はカウンタ４１と目標値４３を比較し、一致したらＣＰＵ４４に知らせるが、その度にＣＰＵ４４は画像データの送出と、次の目標値４３のセットを繰り返す。全ての画像データを送出し最後にクリアデータをサーマルヘッド５へ送出したら、サーマルヘッド５を持ち上げディスクの回転を停止するようにすれば良い。
このように構成すると、従来、サーマルヘッド５を用いて画像を記録する場合は情報を記録する場合に比べディスクの回転速度を１／１００以下にしなければならない。このため、モータをダイレクト駆動により低速回転を安定して制御するには低速回転用のモータが必要であり、情報記録用のスピンドルモータをそのまま使用することはできない。また、減速機構を持つモータで駆動するにしても遊びの多い安価な減速機構ではやはり安定した低速回転を得るのは難しかった。
【００１６】
これに対して、第２の実施形態の光ディスク装置においては、光ディスク５１の回転を正確かつ安定に保つのではなく、画像データの出力タイミング、つまりサーマルヘッド５の発熱タイミングを光ディスク５１の回転に合わせるようにすれば、高品質の可視画像を印刷することができるようになる。
図７は、画像記録時に必要な専用信号を得るための処理を示したフローチャートである。この図７に示す処理は、ＰＬＬ回路を用いることなく、光ディスクから固定周期の信号を所定の場所へ書き込み、その再生信号を画像記録時の制御に使用する場合の処理を示した図である。なお、この図７に示す処理はシステムコントローラ２１が実行するものである。
この場合、画像記録開始と判断したら（Ｓ１の「Ｙｅｓ」）、書き込み可能な速度でディスクを回転させ（Ｓ２）、光ピックアップのサーボをオンする（Ｓ３）。そしてＯＰＣ領域へアクセスし（Ｓ４）、ＯＰＣをする代わりに固定周期１０Ｔの信号を書き込み、ジャンプバックしてから（Ｓ５）、回転数を落し画像記録用速度でディスクを回転させる（Ｓ６）。そして、先に書き込んだ信号を検出したら（Ｓ７）の画像記録処理に移行すればよい（Ｓ８）。このように処理を行えば、専用の信号で高い制御精度を維持しながら回路を簡素化できる。
【００１７】
図８は画像記録時に必要なＲＦ信号やウォブル信号を得るための処理を示したフローチャートである。なお、図８に示す処理もシステムコントローラ２１が実行するものである。
この図８に示す処理は、ディスクの回転数を画像記録時の回転数まで落とすとデコーダが動作しなくなりアドレスが読めなくなるため、画像記録開始と判断したら（Ｓ１１の「Ｙｅｓ」）、アドレスが読める速度でディスクを回転させ（Ｓ１２）、光ピックアップのサーボをオンする（Ｓ１３）。そして、所望の半径位置やＲＦ信号のある位置のアドレスをアクセスしてから（Ｓ１４）、ディスクの回転数を落し画像記録用速度でディスクを回転させる（Ｓ１５）。その後実際の画像記録処理に移行すればよい（Ｓ１６）。このように処理を行えば、所望位置において信号を取得することができる。
図９は、ディスク１周分のカウント値を計測するための処理を示したフローチャートである。なお、この図９に示す処理もシステムコントローラ２１が実行するものである。
この図９に示す処理は、一般にアドレスから正確な半径を決定することはできない。またメディアにより記録線密度が異なる場合もあり１周分のカウント値が明白な部分に位置決めし信号を再生するのは難しいため、この場合も先ず画像記録開始と判断したら（Ｓ２１の「Ｙｅｓ」）、ディスクを回転させ（Ｓ２２）、光ピックアップのサーボをオンしたら（Ｓ２３）、カウンタをリセットする（Ｓ２４）。ディスクが１回転するのを待ち（Ｓ２５）、カウンタの値を読み出す（Ｓ２６）。その後、画像記録処理に移る（Ｓ２７）。ディスクが１回転したことを検出するにはスピンドルモータのＦＧ信号を利用する。このようにすれば、１回転の精度を上げることができる。
【図面の簡単な説明】
【００１８】
【図１】本実施の形態としての光ディスク装置の概略図。
【図２】本実施の形態の光ディスク装置の構成を示したブロック図。
【図３】サーマルヘッドに設けられているドライバＩＣの構成例を示した図。
【図４】ドライバＩＣのタイミングチャート。
【図５】印刷用モータの制御ブロック図。
【図６】画像データの出力タイミングの制御ブロック図。
【図７】画像記録時に必要な専用信号を得るための処理を示したフローチャート。
【図８】画像記録時に必要なＲＦ信号やウォブル信号を得るための処理を示したフローチャート。
【図９】ディスク１周分のカウント値を計測するための処理を示したフローチャート。
【図１０】本実施の形態の記録再生装置によりラベル印刷を行うことができる情報記録媒体の分解斜視図。
【図１１】図１０に示した情報記録媒体の平面図。
【図１２】ラベルに使用するＴＣフィルムの特性として温度変化と透明度の関係を示した図。
【符号の説明】
【００１９】
２  ターンテーブル、３  スピンドルモータ、４  光ピックアップ、５  サーマルヘッド、６  印刷用モータ、７  減速機構、８  ゴムローラ、１１  スピンドル制御部、１２  トラック・フォーカス制御部、１３  リードアンプ、１４  ＤＶＤデコーダ、１５  メモリマネージャ、１６  バッファメモリ、１７  ホストインターフェース（ホストＩ／Ｆ）、１８  ＡＤＩＰデコーダ、１９  ＤＶＤエンコーダ、２０  ＬＤ制御部、２１  システムコントローラ、２２  ＰＬＬ回路、２３  切替スイッチ、２４  Ｆ／Ｖ変換回路、２５  モータドライバ、３１−０，３１−１・・・３１−ｎ  画素記録用発熱体、３２  シフトレジスタ、３３  レジスタ、４１  カウンタ、４２  比較器、４３  目標値、４４  ＣＰＵ、５１  光ディスク、５２  ラベル
【図１】
2006120249.tif 000003
【図２】
2006120249.tif 000004
【図３】
2006120249.tif 000005
【図４】
2006120249.tif 000006
【図５】
2006120249.tif 000007
【図６】
2006120249.tif 000008
【図７】
2006120249.tif 000009
【図８】
2006120249.tif 000010
【図９】
2006120249.tif 000011
【図１０】
2006120249.tif 000012
【図１１】
2006120249.tif 000013
【図１２】
2006120249.tif 000014